【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレスデバイスによって、第１のトレーニングフィールドを備え、第１のシンボル持続時間を有する第１の部分と、第２のトレーニングフィールドを備え、前記第２のトレーニングフィールドが前記第１のシンボル持続時間よりも大きい第２のシンボル持続時間を有する第２の部分とを決定することと、
前記ワイヤレスデバイスによって、前記第１の部分と前記第２の部分とを備えるパケットを生成すること、ここで、前記第２の部分が、前記第２のシンボル持続時間を有する前記第２のトレーニングフィールドを備える、ここにおいて、前記第２のトレーニングフィールドは、前記第２のトレーニングフィールドの受信デバイスが、前記第２のトレーニングフィールドを復号することを無視または控えるさせるパラメータまたは特性を有する、と、
前記ワイヤレスデバイスによって、異なるワイヤレスデバイスに、前記パケットを送信することと
を備える、方法。
【請求項２】
前記パケットが前記第１の部分の後に信号フィールドをさらに備え、前記信号フィールドが前記第２のシンボル持続時間を有する、請求項１に記載の方法。
【請求項３】
前記パケットが前記第１の部分の後に１つまたは複数のシンボルをさらに備え、前記シンボルが前記第１のシンボル持続時間を有する、請求項１に記載の方法。
【請求項４】
前記第１の部分が信号フィールドを備え、
前記第２の部分が前記信号フィールドの複数の繰り返し部分を備え、前記繰り返し部分が前記第２のシンボル持続時間を有する、
請求項１に記載の方法。
【請求項５】
前記複数の繰り返し部分が、前記信号フィールドのキャリアトーンのサブセットを備える、請求項４に記載の方法。
【請求項６】
前記方法が、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
をさらに備える、請求項１に記載の方法。
【請求項７】
前記パケットが、スケジュールされたマルチユーザ（ＭＵ）直交周波数分割多元接続（ＯＦＤＭＡ）アップリンク（ＵＬ）パケットを備える、請求項１に記載の方法。
【請求項８】
前記パケットが、スケジュールされていないシングルユーザ（ＳＵ）直交周波数分割多元接続（ＯＦＤＭＡ）アップリンク（ＵＬ）パケットを備える、請求項１に記載の方法。
【請求項９】
前記第２のトレーニングフィールドの極性をフリップすることをさらに備える、請求項１に記載の方法。
【請求項１０】
前記第２のトレーニングフィールドを、低レートショートトレーニングフィールド（ＬＲ−ＳＴＦ）として生成することをさらに備える、請求項９に記載の方法。
【請求項１１】
ワイヤレス通信の装置であって、
ハードウェアプロセッサであって、
第１のトレーニングフィールドを備え、第１のシンボル持続時間を有する第１の部分と、第２のトレーニングフィールドを備え、前記第２のトレーニングフィールドが前記第１のシンボル持続時間よりも大きい第２のシンボル持続時間を有する第２の部分とを決定することと、
前記第１の部分と前記第２の部分とを備えるパケットを生成すること、ここで、前記第２の部分が、前記第２のシンボル持続時間を有する前記第２のトレーニングフィールドを備える、ここにおいて、前記第２のトレーニングフィールドは、前記第２のトレーニングフィールドの受信デバイスが、前記第２のトレーニングフィールドを復号することを無視または控えるさせるパラメータまたは特性を有する、と、
を行うように構成されたハードウェアプロセッサと、
異なる装置に前記パケットを送信するように構成された送信機と
を備える、装置。
【請求項１２】
前記パケットが前記第１の部分の後に信号フィールドをさらに備え、前記信号フィールドが前記第２のシンボル持続時間を有する、請求項１１に記載の装置。
【請求項１３】
前記パケットが前記第１の部分の後に１つまたは複数のシンボルをさらに備え、前記シンボルが前記第１のシンボル持続時間を有する、請求項１１に記載の装置。
【請求項１４】
前記第１の部分が信号フィールドを備え、
前記第２の部分が前記信号フィールドの複数の繰り返し部分を備え、前記繰り返し部分が前記第２のシンボル持続時間を有する、
請求項１１に記載の装置。
【請求項１５】
前記複数の繰り返し部分が、前記信号フィールドのキャリアトーンのサブセットを備える、請求項１４に記載の装置。
【請求項１６】
前記ハードウェアプロセッサが、
前記第１の部分に前記第１のシンボル持続時間を有する１つまたは複数のシンボルをアペンドすることと、
前記第２のトレーニングフィールドの利得をブーストすることと、
前記１つまたは複数のシンボルに前記第２のトレーニングフィールドをアペンドすることと
を行うように構成された、請求項１１に記載の装置。
【請求項１７】
前記パケットが、スケジュールされたマルチユーザ（ＭＵ）直交周波数分割多元接続（ＯＦＤＭＡ）アップリンク（ＵＬ）パケットを備える、請求項１１に記載の装置。
【請求項１８】
前記パケットが、スケジュールされていないシングルユーザ（ＳＵ）直交周波数分割多元接続（ＯＦＤＭＡ）アップリンク（ＵＬ）パケットを備える、請求項１１に記載の装置。
【請求項１９】
前記ハードウェアプロセッサが、前記第２のトレーニングフィールドの極性をフリップするようにさらに構成された、請求項１１に記載の装置。
【請求項２０】
前記ハードウェアプロセッサが、前記第２のトレーニングフィールドを、低レートショートトレーニングフィールド（ＬＲ−ＳＴＦ）として生成するようにさらに構成された、請求項１９に記載の装置。
【請求項２１】
ワイヤレス通信の装置であって、
第１のトレーニングフィールドを備え、第１のシンボル持続時間を有する第１の部分と、第２のトレーニングフィールドを備え、前記第２のトレーニングフィールドが前記第１のシンボル持続時間よりも大きい第２のシンボル持続時間を有する第２の部分とを決定するための手段と、
前記第１の部分と前記第２の部分とを備えるパケットを生成するための手段、ここで、前記第２の部分が、前記第２のシンボル持続時間を有する前記第２のトレーニングフィールドを備える、ここにおいて、前記第２のトレーニングフィールドは、前記第２のトレーニングフィールドの受信デバイスが、前記第２のトレーニングフィールドを復号することを無視または控えるさせるパラメータまたは特性を有する、と、
前記装置によって、異なる装置に、前記パケットを送信するための手段と
を備える、装置。
【請求項２２】
前記パケットが前記第１の部分の後に信号フィールドをさらに備え、前記信号フィールドが前記第２のシンボル持続時間を有する、請求項２１に記載の装置。
【請求項２３】
前記パケットが前記第１の部分の後に１つまたは複数のシンボルをさらに備え、前記シンボルが前記第１のシンボル持続時間を有する、請求項２１に記載の装置。
【請求項２４】
前記第１の部分が信号フィールドを備え、
前記第２の部分が前記信号フィールドの複数の繰り返し部分を備え、前記繰り返し部分が前記第２のシンボル持続時間を有する、
請求項２１に記載の装置。
【請求項２５】
前記複数の繰り返し部分が、前記信号フィールドのキャリアトーンのサブセットを備える、請求項２４に記載の装置。
【請求項２６】
前記パケットが、スケジュールされたマルチユーザ（ＭＵ）直交周波数分割多元接続（ＯＦＤＭＡ）アップリンク（ＵＬ）パケットを備える、請求項２１に記載の装置。
【請求項２７】
非一時的コンピュータ可読記憶媒体であって、
実行されたとき、装置に、
第１のトレーニングフィールドを備え、第１のシンボル持続時間を有する第１の部分と、第２のトレーニングフィールドを備え、前記第２のトレーニングフィールドが前記第１のシンボル持続時間よりも大きい第２のシンボル持続時間を有する第２の部分とを決定することと、
前記第１の部分と前記第２の部分とを備えるパケットを生成すること、ここで、前記第２の部分が、前記第２のシンボル持続時間を有する前記第２のトレーニングフィールドを備える、ここにおいて、前記第２のトレーニングフィールドは、前記第２のトレーニングフィールドの受信デバイスが、前記第２のトレーニングフィールドを復号することを無視または控えるさせるパラメータまたは特性を有する、と、
異なる装置に前記パケットを送信することと
を行わせるコードを備える、非一時的コンピュータ可読記憶媒体。
【請求項２８】
実行されたとき、前記装置に、前記第２のトレーニングフィールドの極性をフリップすることを行わせるコードをさらに備える、請求項２７に記載の非一時的コンピュータ可読記憶媒体。
【請求項２９】
実行されたとき、前記装置に、前記第２のトレーニングフィールドを、低レートショートトレーニングフィールド（ＬＲ−ＳＴＦ）として生成することを行わせるコードをさらに備える、請求項２８に記載の非一時的コンピュータ可読記憶媒体。